(57)【要約】【課題】着座者に背凭れが必要な場合と、着座者が着座位置よりも後方に体を倒したい場合との両方の場合にも用いることができる腰掛昇降装置を提供すること。【解決手段】本発明の腰掛昇降装置１は、腰掛部材２と、腰掛部材２を昇降させる昇降機構３と、腰掛部材２の昇降をガイドするガイド部材４と、腰掛部材２に後方側に亘って延びる背凭れ部材５と、背凭れ部材５を支持する支持部材６と、背凭れ部材５を支持部材６に対して回転させる回転部材９とを備え、背凭れ部材５は、回転部材９においての回転により、背凭れ部材５を腰掛部材２の後方の背凭れ位置から側方の腕置き位置へと移動する。【選択図】図１
2018175664.tif 000002
【特許請求の範囲】
【請求項１】
腰掛部材と、
浴槽内に設置されて前記腰掛部材を昇降させる昇降機構と、
浴槽の縁の上側から浴槽の下側へ延び、前記腰掛部材の昇降をガイドするガイド部材と、
前記腰掛部材に後方側に亘って延びる背凭れ部材と、
前記背凭れ部材を支持する支持部材と、
前記背凭れ部材を前記支持部材に対して回転させる回転部材と
を備えた腰掛昇降装置であって、
前記背凭れ部材は、前記回転部材においての回転により、前記背凭れ部材を前記腰掛部材の後方の背凭れ位置から側方の腕置き位置へと移動し、
前記腰掛昇降装置は、
前記背凭れ部材が前記腕置き位置に位置するときに、前記腰掛部材に腰かけた人が前記腰掛昇降装置から離れる方向へ上半身を倒すことができる開空間を前記腰掛部材の後方に有する
腰掛昇降装置。
【請求項２】
前記支持部材は前記腰掛部材から上方向に延び、
前記背凭れ部材は、前記支持部材から水平方向へ延びるロッド部材と、前記ロッド部材に対して相対回転可能に設けられた板状支持体とを有し、
前記板状支持体が、前記ロッド部材に対して相対回転を規制する規制機構を有する
請求項１に記載の腰掛昇降装置。
【発明の詳細な説明】
【技術分野】
【０００１】
本発明は腰掛昇降装置に関する。
【背景技術】
【０００２】
体力が低下した高齢者、身体障害者等の、入浴に介護・支援等の手助けや補助が必要な入浴者にとって、浴槽外から浴槽内に入り、浴槽に浸かって、再び、浴槽外に出るといった入浴の動作は大きな負担となる。そのため、入浴の動作の負担を軽減する昇降装置が提案されている（例えば、特許文献１）。
【先行技術文献】
【特許文献】
【０００３】
【特許文献１】特開２０１６−０４９４１４号公報
【発明の概要】
【発明が解決しようとする課題】
【０００４】
この昇降装置は、背凭れとしても機能する持ち手が設けられているが、この持ち手は支柱に固定されているので、この昇降装置の座部に腰かけた着座者は、体を起こした状態で着座しなければならない。そのため、この昇降装置を用いた者に体力がある場合に、体を後方に倒してくつろいだ姿勢を取りたいときでも、そのような姿勢をとることができない。
【０００５】
本発明は、着座者に背凭れが必要な場合と、着座者が着座位置よりも後方に体を倒したい場合との両方の場合にも用いることができる腰掛昇降装置を提供することを目的とする。
【課題を解決するための手段】
【０００６】
本発明の腰掛昇降装置は、腰掛部材と、浴槽内に設置されて前記腰掛部材を昇降させる昇降機構と、浴槽の縁の上側から浴槽の下側へ延び、前記腰掛部材の昇降をガイドするガイド部材と、前記腰掛部材に後方側に亘って延びる背凭れ部材と、前記背凭れ部材を支持する支持部材と、前記背凭れ部材を前記支持部材に対して回転させる回転部材とを備えた腰掛昇降装置であって、前記背凭れ部材は、前記回転部材においての回転により、前記背凭れ部材を前記腰掛部材の後方の背凭れ位置から側方の腕置き位置へと移動し、前記腰掛昇降装置は、前記背凭れ部材が前記腕置き位置に位置するときに、前記腰掛部材に腰かけた人が前記腰掛昇降装置から離れる方向へ上半身を倒すことができる開空間を前記腰掛部材の後方に有する。
【発明の効果】
【０００７】
本発明の腰掛昇降装置によれば、着座者に背凭れが必要な場合と、着座者が着座位置よりも後方に体を倒したい場合との両方の場合にも用いることができる。
【図面の簡単な説明】
【０００８】
【図１】本発明の一実施形態の腰掛昇降装置が浴槽内に設置された状態を示す斜視図である。
【図２】図１の腰掛昇降装置を前方側から見た側面図である。
【図３】図２の腰掛昇降装置の駆動部が伸長し、腰掛部材が上昇した状態を示す側面図である。
【図４】図１の腰掛昇降装置の背凭れ部材および持ち手を支持部材に対して回転させた状態を示す斜視図である。
【図５】図１の腰掛昇降装置の上面図である。
【図６】支持部材と回転部材との係合状態の一例を示す概略断面図である。
【図７】図１の腰掛昇降装置の背凭れ部材が腕置き位置にある状態を示す斜視図である。
【図８】図７に示される腰掛昇降装置の側面図である。
【図９】背凭れ部材の背面側を示す図である。
【発明を実施するための形態】
【０００９】
以下、図面を参照し、本発明の一実施形態の腰掛昇降装置を説明する。なお、以下に示す実施形態はあくまで一例であり、本発明の腰掛昇降装置は、以下の実施形態に限定されるものではない。
【００１０】
図１に示されるように、本実施形態の腰掛昇降装置（以下、単に昇降装置と呼ぶ）１は、腰掛部材２と、浴槽Ｂａ内に設置されて腰掛部材２を昇降させる昇降機構３と、浴槽Ｂａの縁Ｅの上側から浴槽Ｂａの下側へ延び、腰掛部材２の昇降をガイドするガイド部材４と、腰掛部材２に後方側に亘って延びる背凭れ部材５と、背凭れ部材５を支持する支持部材６とを備えている。
【００１１】
昇降装置１は、浴槽Ｂａ内に設置されて用いられ、図２および図３に示されるように、腰掛部材２を浴槽Ｂａの上側と下側との間で昇降させることにより、入浴者の入浴の支援等を行う。本実施形態では、昇降装置１は、浴槽Ｂａに取り付けられ、図３に示されるように、腰掛部材２を浴槽Ｂａの縁Ｅの上側まで上昇させて、入浴者を腰掛部材２に乗せる。入浴者が腰掛部材２に乗った後は、腰掛部材２を、図２に示されるように、浴槽Ｂａの底部Ｂに向かって降下させて、入浴者の入浴が行われる。入浴者の入浴が完了すると、再び腰掛部材２を上昇させて、入浴者を浴槽Ｂａから出す。なお、本明細書において、「上側」という場合は、浴槽Ｂａの縁Ｅの上側であり、「下側」という場合は、浴槽Ｂａの底部Ｂ側である。また、本実施形態では、腰掛部材２の座面の中央部に対して背凭れ部材５が設けられている側を「後」、腰掛部材２の座面の中央部に対して背凭れ部材５が設けられている側とは反対の側を「前」と呼ぶ。一般に、入浴者は、昇降装置１が取り付けられる浴槽Ｂａの１つの縁Ｅに入浴者の体の中心線（人体の正中線）が略平行となるように入浴する。この腰掛部材２の昇降時または入浴中の姿勢における人体の正面側が一般に「前」、背中側が「後」となる。また、昇降装置１において、「側方」とは、上述した「前」および「後」を結ぶ前後方向および上下方向の両方に垂直な方向側をいう。なお、上述した「上側」、「下側」、「前」、「後」、「側方」という用語は、基準となる部材に対する相対的な方向性示すために用いているに過ぎず、方向や角度を限定するものではない。
【００１２】
本実施形態では、昇降装置１は、図１〜図３に示されるように、浴槽Ｂａの縁Ｅに取り付けられる取り付け部Ａを有している。取り付け部Ａは、昇降装置１を浴槽Ｂａに取り付けることができれば、その構造は特に限定されない。本実施形態では、取り付け部Ａは、図２および図３に示されるように、浴槽Ｂａの縁Ｅを跨いで、浴槽Ｂａの内面と外面とを挟み込むようにして浴槽Ｂａに取り付けられる。
【００１３】
昇降機構３は、腰掛部材２を昇降させて、入浴者等の昇降対象を昇降させる機構である。昇降機構３の形状および構造は、腰掛部材２を昇降させることができれば、特に限定されない。昇降機構３は、たとえば、図１〜図３に示されるように、流体を充填する充填部を内部に有する駆動部３１に流体を流入し、駆動部３１から流体を排出することにより腰掛部材２を昇降させる流体式駆動機構とすることができる。また、昇降機構３は、腰掛部材２の下側に設けられたリンク機構などの動力伝達部を動作させて腰掛部材２を昇降させる機械式駆動機構であってもよい。また、昇降機構３は、流体と機械的な動力伝達部の両方を用いたものとしても構わない。
【００１４】
本実施形態では、昇降機構３は、図１〜図３に示されるように、水等の流体が充填される充填部を内部に有する駆動部３１を備えている。駆動部３１は、蛇口やポンプ等、流体を供給する流体供給源（図示せず）に、ホース、パイプ、チューブ等の供給路７（図２および図３参照）を介して接続され、駆動部３１に流体が供給されることにより、駆動部３１が伸長し、腰掛部材２を上昇させる。また、駆動部３１は、ホース、パイプ、チューブ等の排出路８に接続され、排出路８から流体を排出することにより収縮して、腰掛部材２を降下させる。
【００１５】
本実施形態では、駆動部３１は、図２および図３に示されるように、山部と谷部とを交互に有する蛇腹部を有している。また、本実施形態では、駆動部３１は、駆動部３１の軸Ｘ方向（図３参照）の両端が閉鎖され、駆動部３１の内部空間である充填部を画定している。本実施形態では、図２および図３に示されるように、駆動部３１への流体の充填および排出により、蛇腹部が伸縮し、駆動部３１の軸Ｘ方向の長さが変動し、腰掛部材２を昇降移動させる。
【００１６】
ガイド部材４は、腰掛部材２の昇降をガイドする。本実施形態では、腰掛部材２は、図２および図３に示されるように、ガイド部材４に直接または間接的に接続され、腰掛部材２が昇降機構３により昇降する際に、ガイド部材４が延びる方向に沿って腰掛部材２が移動する。ガイド部材４は、本実施形態では、腰掛部材２の昇降方向に沿って延びるロッド状部材であるが、腰掛部材２を昇降方向に案内することができれば、ガイド部材４の形状は特に限定されない。たとえば、ガイド部材４は、腰掛部材２を案内可能な溝や突条を有する板状部材やレール状の部材などであってもよい。ガイド部材４の材料は特に限定されないが、ガイド部材４は、腰掛部材２や腰掛部材２に加わる荷重を支持するために所定の剛性を有していることが好ましい。本実施形態では、昇降装置１は、図１に示されるように、一対のガイド部材４を有し、一対のガイド部材４に腰掛部材２が案内されるように構成されているが、ガイド部材４の数は特に限定されない。
【００１７】
腰掛部材２は、人が着座可能な部材である。本実施形態では、浴槽Ｂａに入る入浴者が腰掛部材２に着座する。腰掛部材２の形状および構造は、人が着座可能であれば特に限定されない。本実施形態では、腰掛部材２は、図１に示されるように、円形の着座面を有するように構成されているが、他の形状であってもよい。腰掛部材２は、腰掛部材２の座面に略垂直な軸周りに回転するように構成されてもよい。この場合、腰掛部材２を回転させることにより、入浴者が体の向きを容易に変更することができる。
【００１８】
本実施形態では、腰掛部材２は、図１〜図３に示されるように、腰掛部２１と、ガイド部材４に沿って摺動し、腰掛部２１の昇降移動を補助する補助部２２と、腰掛部２１と補助部２２とを接続する接続部２３とを有している。腰掛部２１は、昇降機構３により昇降する部材であり、入浴者が座る座面を構成する。本実施形態では、腰掛部２１は、駆動部３１の上部に設けられている。
【００１９】
補助部２２は、ガイド部材４に沿って摺動して、腰掛部２１の昇降方向に沿った昇降移動を補助する。補助部２２は、ガイド部材４に摺動可能に接続されるとともに、接続部２３を介して腰掛部２１に接続されている。補助部２２は、昇降機構３による腰掛部２１の昇降移動に伴って、腰掛部２１とともに昇降移動する。補助部２２は、補助部２２が案内されるガイド部材４の形状および構造に応じた形状および構造とすることができる。本実施形態では、補助部２２は、昇降方向に沿って延びるロッド状のガイド部材４を内側に挿通可能な略筒状に構成されている。
【００２０】
接続部２３は、腰掛部２１と補助部２２とを直接または間接的に接続する。接続部２３は、腰掛部２１と補助部２２とを接続することができれば、その形状や構造は特に限定されない。本実施形態では、接続部２３は、図２および図３に示されるように、補助部２２から浴槽Ｂａの縁Ｅの内面に対して略垂直方向（水平方向）に延びるアーム状の部材であり、アーム状の接続部２３の側面に腰掛部２１が接続され、アーム状の接続部２３の端部に補助部２２が接続されている。
【００２１】
接続部２３は、本実施形態では、昇降機構３による腰掛部２１の昇降移動に伴って、腰掛部２１および補助部２２とともに昇降移動する。接続部２３は、腰掛部２１のガイド部材４に対する離間位置を規制する剛性を有している。これにより、腰掛部２１はガイド部材４に対して、水平方向で所定の離間距離が維持された状態で昇降移動することができる。したがって、駆動される腰掛部２１の昇降動作を安定させることができる。
【００２２】
支持部材６は背凭れ部材５を支持する。本実施形態では、支持部材６は、腰掛部材２に直接または間接的に接続され、腰掛部材２の昇降に伴って、腰掛部材２とともに昇降するように構成されている。本実施形態では、支持部材６は、接続部２３を介して腰掛部材２に接続されている。
【００２３】
支持部材６は、本実施形態では、図１〜図３に示されるように、腰掛部材２から上方向に延びている。本実施形態では、支持部材６が腰掛部材２から上方向に延びていることにより、腰掛部材２の座面より上の位置に背凭れ部材５を位置させ、背凭れ部材５に入浴者が背中を凭れかけることができる。なお、「上方向に延びる」とは、支持部材６が入浴者の着座を妨げることなく、少なくともその一部が腰掛部材２の座面よりも高い位置に向かって延びることをいう。なお、本実施形態では、支持部材６は鉛直方向で上方向に延びているが、鉛直方向に対して傾斜した方向に延びていても構わない。なお、本実施形態では、支持部材６は腰掛部材２の側方側から上方向に延びているが、支持部材６が設けられる位置は、背凭れ部材５を支持することができる位置であれば特に限定されない。
【００２４】
支持部材６の形状は、背凭れ部材５を支持することができれば特に限定されない。本実施形態では、支持部材６は、図１に示されるように、腰掛部２１の座面の中央部を挟んで、腰掛部２１の前側および後側に互いに略平行に設けられた一対の接続部２３（図５参照）に繋がって設けられ、腰掛部材２に対して上方向に延びる一対の支持部６１、６２を有している。本実施形態では、一方の支持部６１は、接続部２３との接続箇所から湾曲して上方に向かって延びる立設部６１ａと、立設部６１ａの上方において、後方側に向かって延びる延在部６１ｂとを有している。延在部６１ｂには、背凭れ部材５が直接または間接的に接続される。本実施形態では、後述する回転部材９（図１等参照）を介して背凭れ部材５が延在部６１ｂに接続されている。同様に、他方の支持部６２は、接続部２３との接続箇所から湾曲して上方に向かって延びる立設部６２ａと、立設部６２ａの上方において、前方側に延びる延在部６２ｂとを有している。延在部６２ｂには後述する持ち手Ｈが直接または間接的に接続される。また、本実施形態では、支持部材６は、図１に示されるように、一対の支持部６１、６２を互いに連結する連結部６３を有している。連結部６３は、支持部材６の強度を向上させるとともに、浴槽Ｂａの縁Ｅから入浴者が腰掛部２１に着座する際の背凭れとしても機能する。
【００２５】
支持部材６は、背凭れ部材５を支持することができれば、特にその材料は限定されないが、背凭れ部材５に入浴者が凭れかかった場合など、背凭れ部材５を含む昇降装置１に加わる荷重を支持することができる剛性を有していることが好ましい。
【００２６】
背凭れ部材５は、たとえば、入浴者が昇降装置１により昇降されるときや、入浴中などに、入浴者が背中側から凭れかかったときに、入浴者の背中を支持する。背凭れ部材５は、図１に示されるように、腰掛部材２の後方側に亘って延びている。なお、腰掛部材２の後方側とは、腰掛部材２の座面の中央部に対して後方側であることをいう。背凭れ部材５は、入浴者が腰掛部材２に腰掛けることができ、背凭れとして機能する位置に設けられていればよい。また、背凭れ部材５は、背凭れとして機能する範囲に亘って延びていればよく、腰掛部材２の後方の全体に亘って延びている必要はない。背凭れ部材５は、人体と接触する接触面を有しても良い。
【００２７】
背凭れ部材５は、背凭れとして機能するだけでなく、後述するように支持部材６に対して回転し、腕置きとしても機能するように構成されている。背凭れ部材５の形状は、背凭れおよび腕置きとして機能することができれば、特に限定されない。本実施形態では、背凭れ部材５は、支持部材６から延びるロッド部材５１と、ロッド部材５１に設けられた板状支持体５２とを有している。
【００２８】
ロッド部材５１は、板状支持体５２から加わる荷重に耐え得るような剛性を有し、板状支持体５２を支えている。ロッド部材５１は、本実施形態では、図１〜図３に示されるように、板状支持体５２を背凭れ位置に位置させるために、支持部材６から水平方向に延びている。なお、水平方向に延びるとは、支持部材６から略水平に延びていることをいい、たとえば、ロッド部材５１は直線状に延びるものの他、湾曲して延びていてもよい。本実施形態では、図１に示されるように、支持部材６は、浴槽Ｂａの縁Ｅとの間で腰掛部材２を挟むように、腰掛部材２の側方位置に設けられている。ロッド部材５１は、図２に示されるように、支持部材６の一対の支持部６１、６２のうち一方の支持部６１から浴槽Ｂａの縁Ｅ側に向かって水平方向に延びている。
【００２９】
板状支持体５２は、背中や腕等、人体の一部と当接する当接面Ｓを有し、入浴者の背中と面で接触し、入浴者が背中や腕を載せた際に、板状支持体５２から加わる負荷が分散され、入浴者の背凭れ部材５と接触したときの負担が小さい。板状支持体５２は、背凭れとして用いられる場合に、当接面Ｓが昇降装置１の前方側を向くように配置される。本実施形態では、板状支持体５２は、図１〜図３に示されるように、略台形状に構成されているが、板状支持体５２の形状は特に限定されない。なお、背凭れ部材５の当接面Ｓは、板状支持体５２以外の構造によって設けられていてもよい。たとえば、ロッド部材５１の外周に、柔軟な材料により構成された支持体が設けられ、支持体に入浴者の背中や腕が接触するように構成してもよい。また、背凭れ部材５は、２つの異なる方向を向いた背中用の当接面と、腕用の当接面とを有していてもよい。
【００３０】
本実施形態では、図１に示されるように、支持部材６には、背凭れ部材５の他に、持ち手Ｈが接続されている。持ち手Ｈは、腰掛部材２の昇降時や入浴中に入浴者により把持される。本実施形態では、持ち手Ｈは、一対の支持部６１、６２のうち、他方の支持部６２から延びている。持ち手Ｈは、背凭れ部材５と同様に、支持部材６に対して回転するように構成することができる。持ち手Ｈは、板状支持体５２が無い以外は、背凭れ部材５と同様の構造とすることができ、図１〜図３に示されるように、持ち手Ｈはロッド部材Ｈ１を有している。なお、本実施形態では、図２および図３に示されるように、背凭れ部材５のロッド部材５１は、持ち手Ｈのロッド部材Ｈ１よりも上下方向の高さが低くなるように構成されている。
【００３１】
また、本実施形態では、昇降装置１は、背凭れ部材５を支持部材６に対して回転させる回転部材９を備え、背凭れ部材５は、回転部材９においての回転により、背凭れ部材５を腰掛部材２の後方の背凭れ位置から側方の腕置き位置へと移動するように構成されている。
【００３２】
回転部材９は、図５に示されるように、背凭れ位置（図５の実線参照）と、腕置き位置（図５の二点鎖線参照）との間で背凭れ部材５を回転させる。背凭れ部材５の「背凭れ位置」は、入浴者が着座して背中側で凭れかかったときに背中を支えることができる位置である。また、「側方の腕置き位置」の「側方」とは、入浴者の一方の腕が位置する方向であり、背凭れ部材５の「腕置き位置」は、入浴者が着座したときに、入浴者の一方の腕を置くことができる位置である。なお、腕置き位置は、入浴者の上腕部が載る位置でもよいし、肘や前腕が載る位置でもよい。また、背凭れ位置および腕置き位置は、特定の２か所である必要はなく、複数の背凭れ位置、複数の腕置き位置を有していてもよい。
【００３３】
回転部材９は、背凭れ部材５を支持部材６に対して回転させるように、背凭れ部材５と支持部材６とを接続する。回転部材９は、背凭れ部材５を支持部材６に対して回転させることができれば、その構造は特に限定されない。本実施形態では、回転部材９が支持部材６に対して回転することにより、背凭れ部材５を回転させているが、背凭れ部材５を回転させることができれば、回転部材自体が回転しないものであってもよい。
【００３４】
本実施形態では、回転部材９は、図１〜図３に示されるように、支持部材６と背凭れ部材５との間に背凭れ部材５とは別体として設けられた湾曲した部材として示されている。回転部材９は、図５に示されるように、支持部材６の延在部６１ｂに接続され、延在部６１ｂに対して回転軸Ａｘ周りに回転するように構成されている。回転部材９は、筒状に構成され、筒状の支持部材６（延在部６１ｂ）の内側に差し込まれている。本実施形態では、回転部材９は、図５に示されるように、背凭れ部材５のロッド部材５１と接続された状態で略Ｌ字状に構成され、回転部材９とロッド部材５１とが鈍角をなしている。また、支持部材６の延在部６１ｂは、立設部６１ａの上端から延在部６１ｂの先端に向かって内側に傾斜して延びており（図５参照）、回転軸Ａｘが昇降装置１の前方側から後方側に向かうにつれて、内側に向かって傾斜している。回転部材９の形状や構造は、支持部材６に対して背凭れ部材５が回転するように背凭れ部材５と支持部材６とを接続するものであれば特に限定されない。なお、回転部材９は、背凭れ部材５と一体に構成されていてもよい。
【００３５】
本実施形態では、回転部材９により背凭れ部材５が背凭れ位置と腕置き位置との間で回転する際に、背凭れ部材５は、背凭れ位置と腕置き位置とで保持されるように構成されている。背凭れ部材５を背凭れ位置と腕置き位置で保持する構造は特に限定されない。たとえば、図６に示されるように、回転部材９に係合部９１を設け、支持部材６に、回転部材９の係合部９１と回転軸Ａｘ（図５参照）周り方向で係合する被係合部６４ａ、６４ｂを設けることができる。この場合、回転部材９の回転が所定範囲に規制され、回転部材９の係合部９１と、支持部材６の被係合部６４ａ、６４ｂとが係合することにより、背凭れ部材５が背凭れ位置と腕置き位置とで保持される。本実施形態では、回転部材９の係合部９１は、回転部材９の外周から突出する突部であり、支持部材６の被係合部６４ａ、６４ｂは、支持部材６の周方向に所定の範囲設けられた長孔または案内溝（図５参照）の両端である。なお、背凭れ部材５を背凭れ位置と腕置き位置で保持する構造は、たとえば、筒状の回転部材９の内側に支持部材６が挿入され、回転部材９側に長孔や案内溝等を設け、支持部材６側に長孔や案内溝の両端と係合する突部等を設けてもよいし、他の係合機構を用いてもよい。
【００３６】
また、昇降装置１は、背凭れ部材５が腕置き位置に位置するときに、腰掛部材２に腰かけた人が昇降装置１から離れる方向へ上半身を倒すことができる開空間を腰掛部材２の後方に有している。「昇降装置１から離れる方向」とは、腰掛部材２から後方に向かう方向であり、「上半身を倒すことができる開空間」とは、背凭れ部材５が腕置き位置に移動した際に、入浴者の背中側、すなわち後方側に、上半身を倒した場合に、昇降装置１に入浴者の体の傾倒を遮る部材などがないことをいう。なお、本実施形態では、図５に示されるように、背凭れ部材５および持ち手Ｈの両方を回転可能にして、昇降装置１の前後方向に開空間を設け、腰掛部材２の前後方向に開空間が連通するようにしてもよい。背凭れ部材５は、背凭れ位置において、背凭れとして機能する着座者の背中との接触面を有する場合には、腕置き位置に位置するときには、当該接触面が着座者の腕と接触する接触面として機能することができる。
【００３７】
上述したように、昇降装置１は、背凭れ部材５が背凭れ位置から腕置き位置へ移動するように構成され、背凭れ部材５が腕置き位置に位置するときに、腰掛部材２の後方に開空間を有している。これにより、背凭れが必要な入浴者と、着座位置よりも後方に上半身を倒したい入浴者の両方に、同じ昇降装置１を用いることができる。また、腰掛部材２を昇降させる際には、入浴者は背凭れ位置にある背凭れ部材５に凭れて安定した状態で昇降することができ、腰掛部材２が降下した後、浴槽Ｂａ内で入浴する際には、背凭れ部材５を腕置き位置へ移動させ、後方側へ上半身を倒して、リラックスして入浴することができる。また、背凭れ部材５が腕置きとなることにより、図７に示されるように、入浴者が後方側へ上半身を倒したときに、浴槽Ｂａに浸かった状態で、一方の腕を背凭れ部材５に載せて上半身を倒したとしても姿勢が崩れにくく、力の無い者でも浴槽内でおぼれたりする事故を抑制することができる。また、入浴が終わり、昇降装置１を上昇させる際に、上半身を後方側に倒した状態から入浴者が起き上がるときに、腕置き位置にある背凭れ部材５を使って容易に上半身を起こすことができる。
【００３８】
また、本実施形態では、腕置き位置にある背凭れ部材５は、図５および図７に示されるように、背凭れ位置にある背凭れ部材５よりも後方かつ側方に位置するように構成されている。これにより、入浴者が上半身を後方に倒したときに、背凭れ部材５が腕の近くに位置するため、入浴者の腕を背凭れ部材５に載せやすい。この場合、たとえば、上述したように、回転部材９とロッド部材５１とが略Ｌ字状に構成され、回転部材９の回転軸Ａｘを前後方向に対して内側に傾斜させ、回転部材９の回転角度を所定の範囲にすればよい。
【００３９】
また、本実施形態では、図８に示されるように、腕置き位置にある背凭れ部材５の板状支持体５２の高さが浴槽Ｂａの縁Ｅの高さに対応する高さとなるように、背凭れ部材５が腕置き位置で保持される。これにより、浴槽Ｂａの縁Ｅに載せた一方の腕と背凭れ部材５に載せた他方の腕の高さが同程度となり、入浴中の姿勢が安定し、入浴者は快適に入浴することができる。
【００４０】
また、本実施形態では、板状支持体５２は、ロッド部材５１に対して相対回転可能に設けられ、板状支持体５２が、ロッド部材５１に対して相対回転を規制する規制機構Ｒを有している。背凭れ部材５が背凭れ位置から腕置き位置に回転したときに、図４に示されるように、背凭れ部材５の回転に伴い当接面Ｓの向きが変わる。このとき、板状支持体５２がロッド部材５１に対して相対回転可能に構成されているので、図７に示されるように、腕を板状支持体５２に載せるために当接面Ｓの向きを上向きに変更することができる。さらに、本実施形態では、板状支持体５２は、ロッド部材５１に対する相対回転を規制する規制機構Ｒを有しているため、腕を板状支持体５２に載せて荷重を加えたとしても、板状支持体５２は回転が規制される。したがって、入浴者は腕を板状支持体５２に置いて、快適に入浴することができる。
【００４１】
板状支持体５２をロッド部材５１に対して相対回転可能にする構造は特に限定されない。本実施形態では、図９に示されるように、板状支持体５２は、板状支持体５２の当接面Ｓとは反対側の面に、ロッド部材５１が挿通される挿通部５２ａを有し、ロッド部材５１の軸周りに板状支持体５２が回転するように構成されている。挿通部５２ａは、本実施形態では、筒状に形成され、板状支持体５２の当接面Ｓとは反対側の面に２つ設けられているが、挿通部５２ａの数や形状は特に限定されない。
【００４２】
規制機構Ｒは、ロッド部材５１に対する板状支持体５２の相対回転を規制することができれば、特にその構造は限定されない。本実施形態では、図９に示されるように、規制機構Ｒは、板状支持体５２に設けられた案内部Ｒａと、ロッド部材５１に設けられ、案内部Ｒａに案内される係止部Ｒｂとを有し、案内部Ｒａは、係止部Ｒｂと係合することにより板状支持体５２のロッド部材５１に対する相対回転を規制する規制部Ｒｃを有している。
【００４３】
案内部Ｒａは、所定の範囲内の荷重が板状支持体５２に加わる場合には、規制部Ｒｃにより係止部Ｒｂの案内部Ｒａ内での相対的な位置が変わらないように、板状支持体５２のロッド部材５１に対する相対回転を規制する。案内部Ｒａは、たとえば、図９に示されるように、挿通部５２ａに設けられた、ロッド部材５１の軸周り方向に所定の長さで設けられた長孔や案内溝などにより構成することができる。また、規制部Ｒｃは、図９に示されるように、たとえば、案内部Ｒａの長孔や案内溝の内側に突出する凸部とすることができる。また、係止部Ｒｂは、たとえば、図９に示されるように、案内部Ｒａに入ることができる大きさで、規制部Ｒｃが設けられた位置の幅よりも大きい、ロッド部材５１の外周から突出した突部とすることができる。
【００４４】
本実施形態では、板状支持体５２が背凭れ位置と腕置き位置との間で移動する際に、板状支持体５２に加わる操作力により、規制部Ｒｃが変形しながら係止部Ｒｂを乗り越えて、板状支持体５２の向きを変えて、当接面Ｓの向きを変えることができる。また、板状支持体５２が向きを変えた後は、所定の範囲内の力が板状支持体５２に加わったとしても、規制部Ｒｃにより、係止部Ｒｂの案内部Ｒａ内での相対位置の変化が規制される。したがって、たとえば、腕置き位置において、板状支持体５２に腕の荷重により力が加わったとしても、板状支持体５２の相対回転を規制して、当接面Ｓの向きを所定の方向に維持することができる。
【００４５】
なお、本実施形態では、背凭れ部材５が背凭れ位置にある場合に、図９に示されるように、板状支持体５２の案内部Ｒａは、ロッド部材５１の軸周り方向に沿って、上下方向に延びている。板状支持体５２の当接面Ｓが背凭れとして機能できる向きのときに、案内部Ｒａの上端にロッド部材５２の係止部Ｒｂが位置し、案内部Ｒａの上端と係止部Ｒｂとが係合している。背中から板状支持体５２に加わる力は腕から板状支持体５２に加わる力に比べて大きいが、本実施形態では、案内部Ｒａの上端と係止部Ｒｂとが係合していることにより、背中から板状支持体５２に大きな力が加わっても、案内部Ｒａの上端が係止部Ｒｂに押し付けられるだけであり、板状支持体５２の相対回転が規制される。
【００４６】
なお、規制機構Ｒは上述した構造に限定されず、図６に示される回転部材９と支持部材６との間の係合部９１と被係合部６４ａ、６４ｂのように、所定の角度で板状支持体５２が回転したときに、板状支持体５２がロッド部材５１に対して回転が規制されるように構成してもよい。
【符号の説明】
【００４７】
１  昇降装置
２  腰掛部材
２１  腰掛部
２２  補助部
２３  接続部
３  昇降機構
３１  駆動部
４  ガイド部材
５  背凭れ部材
５１  ロッド部材
５２  板状支持体
５２ａ  挿通部
６  支持部材
６１、６２  支持部
６１ａ、６２ａ  立設部
６１ｂ、６２ｂ  延在部
６３  連結部
６４ａ、６４ｂ  被係合部
７  供給路
８  排出路
９  回転部材
９１  係合部
Ａ  取り付け部
Ａｘ  回転軸
Ｂ  浴槽の底部
Ｂａ  浴槽
Ｅ  浴槽の縁
Ｈ  持ち手
Ｈ１  ロッド部材
Ｒ  規制機構
Ｒａ  案内部
Ｒｂ  係止部
Ｒｃ  規制部
Ｓ  当接面
Ｘ  駆動部の軸
【図１】
2018175664.tif 000003
【図２】
2018175664.tif 000004
【図３】
2018175664.tif 000005
【図４】
2018175664.tif 000006
【図５】
2018175664.tif 000007
【図６】
2018175664.tif 000008
【図７】
2018175664.tif 000009
【図８】
2018175664.tif 000010
【図９】
2018175664.tif 000011